(57)【特許請求の範囲】
【請求項１】
ベース（２）とカバー（３）から構成された、クリップ装着器の本体（１）内に、クリップ等の収納部を形成し、本体の前端に用紙の差込口（７）を設け、該差込口両側後部に拡開バネを装着し、カバー（３）の上面に作動ハンドル（３５）を回動可能に取付けると共に、カバー又は作動ハンドルにプッシャー（４）を前後摺動可能に装着し、前記差込口（７）の上方の、カバー（３）先端の台部（３３）に、パンチ穴（３４）を設けると共に、該パンチ穴の後方にプッシャーの下部が前後に摺動する長孔（３５Ａ）を設けると共に、前記パンチ穴に出入するパンチ刃（３８）を、作動ハンドル（３５）の前部下面に装着し、同パンチ刃の後方に、プッシャーの上部が前後摺動する空間部（３６）を設けて成る、差込口の上方にパンチを設けたクリップ装着器。
【発明の詳細な説明】
【技術分野】
【０００１】
本発明は、本体内のクリップをプッシャーにより繰り出し、このクリップで、書類やカード等を装着することができるようにすると共に、本体前部の差込口の上方に、パンチを設けたクリップ装着器である。
【背景技術】
【０００２】
従来のこの種のクリップ装着器で、本体の下面にパンチ装置を併設したものがある。（例えば、特許文献１、参照）
また、前記と同様なものに、クリップ装着器の本体の後方上面に、パンチ装置を併設したものがある。（例えば、特許文献２、参照）
【０００３】
以下、特許文献１、及び２により、クリップ装着器にパンチ装置を設けた従来のクリップ装着器について説明する。
【０００４】
【特許文献１】特許第３４３５５２１号公報（第９頁、第１５図）  本発明はクリップを用いて書類やカード等を、連続して装着することができるほか、ステープラーやパンチ器を併設した、「連発装置付きクリップ装着器」に関するものであって、本願出願人の発明によるものである。
【０００５】
この特許公報５頁の、「実施例５」の図１５に示すように、クリップ装着器の本体１の下面に、８０ｍｍの間隔にて、２個のパンチ孔６１、及びパンチ刃６４を設けた、「パンチ装置Ｂ」を併設したものである。
【０００６】
しかしこのパンチ装置においては、２穴用の１種類のパンチ孔の穿孔しかできず、また装置が大型になって高価になる等の欠点があり、今だに商品化が出来ないものである。
【０００７】
【特許文献２】特開２０００−１２７０９６号公報（第８頁、実施例７）  この特許文献の「多用途パンチ並びに同器に用いるベース及びフレーム並びに屑受」は、公開特許公報１頁の「要約」の「課題」の欄に記載されている如く、「従来の１穴パンチは、複数の穿孔を行うために定規等の附属品を必要とし、また、穿孔の際に位置合わせの表示が不明確なため、規格通りの適正な穿孔が困難であった。このため附属品等をなくした、多用途パンチ器を提供する。」と述べられている。
【０００８】
そして同公報の、８頁の「実施例７」及び図１７から図２１に示す、「クリップ装着器本体Ｃ」のカバー部５２の後方上面に「パンチ装置部Ｐ」を装着し、これにより、用紙にクリップ５３による紙綴じと、「パンチ装置部Ｐ」による穿孔ができることが記載されている。
【０００９】
しかし、前記の装置においては後述する、本願特許の実施例２及び３に示す、従来から利用されているクリップ装着器には使用することができず、また、「図１７及び図１８」に示すように、パンチ装置部Ｐが、クリップ装着器本体Ｃの上面に設けられているため、穿孔したパンチ屑が、取出し口５０の奥行きが袋小路状になっているため、穿孔したパンチ屑が取り出し口５０から、容易に取り出すことができない等の欠点があり、このため現在に至るまで商品化は不可能であった。
【発明の開示】
【発明が解決しようとする課題】
【００１０】
以上に述べた、従来の特許文献１のものは、クリップ装着器の本体１の下面に２穴の穿孔を行うパンチ器を設けたものであり、また文献２のものは、「クリップ装着器本体Ｃ」の後部上面に、「パンチ装置部Ｐ」を取り付けたもので、従来から用いられているクリップ装着器には、活用することができず、また穿孔後のパンチ屑の取り出しが極めて困難な上、装置が高価になる等の問題点があり、実用化することができなかった。
【００１１】
本発明は、このような従来の構造が有していた、問題点と欠陥を解決しようとするものであり、構成を簡素化すると共に、資材の節約をはかり、安価に提供することを目的とするものである。
【課題を解決するための手段】
【００１２】
そして、本発明は上記目的を達成するために、第一の課題解決の手段として、さきに本願出願人が発明した、自動クリップ装着器の後部上面に、薄形のホッチキスを取り付けると共に、クリップ装着器本体の前部に設けた、用紙の差込口の上方に、１穴２穴４穴穿孔用の１穴パンチ装置及び作動ハンドルを設けたものである。
【００１３】
この自動クリップ装着器の本体は、長方形のベースとカバーから組み立てられ、このカバーの上方に、クリップを押し出すプッシャーを取り付け、本体内にはクリップを前方に押進するクリップ押し具、及び本体の前部に用紙を挿入するための差込口、及び該差込口の後方に設けた、拡開バネから構成されている。
【００１４】
上記のごとき、従来から活用されている自動クリップ装着器に、更に利便性を附加するためにパンチ装置を設けたもので、本体を構成するカバーの前部分を、パンチ装置の台部として活用し、この前部にパンチ穴を設けるものである。
【００１５】
そして、カバーの上方に、パンチ刃を取り付けた作動ハンドルを回動自在に取り付け、更にカバーの、パンチ穴の後方に、２穴パンチ及び４穴パンチを穿孔する際の目安となる、表示部及び穴符号を設け、用紙に１穴及び、２穴、４穴の穿孔が行えるようにしたものである。
【００１６】
次に第２の課題解決の手段としては、古くから実用化されている簡易型装着器の、本体の前部に設けられた用紙の差込口の上方に前記のものと同様に、パンチ装置を設けたものである。
【００１７】
このクリップ装着器の本体は、長方形のベースと、このベースを覆うようにカバーが取り付けられ、このカバーに、クリップを押し出すプッシャーを摺動可能に取り付けたもので、本体の前部には用紙等を挿入する差込口が形成されている。
【００１８】
この、パンチ装置を設けたクリップ装着器は、前記差込口を形成するカバーの前部分を延長して、パンチ装置の台部としたもので、先端部にパンチ穴が設けられており、このパンチ穴に嵌入するパンチ刃を、作動ハンドルの先端部に設けたもので、この作動ハンドルをカバーの上面に回動自在に取り付けたものであって、これにより本願のクリップ装着器はクリップの装着と、パンチ穴あけの二つの事務処理ができるものである。
【００１９】
次に第３の課題を解決する手段としては、現在活用されている、クリップ装着器の部品を利用して、用紙にパンチ穿孔を行うことができるようにしたものである。
【００２０】
このクリップ装着器の本体は、ベースとカバーから構成され、本体の前端部に用紙の差込口を設け、この差込口の後方に拡開バネを止着する。
【００２１】
本体の中間部及び後部は、上面を開放した箱型に構成し、クリップ及びクリップ押し具を収納する。次に本体の上面には、作動ハンドルを後部においてカバー３の後方に回動自在に枢着すると共に、作動ハンドルの上面の中央部に、プッシャーを摺動可能に装着する。
【００２２】
そして、この作動ハンドルの前部下面にパンチ刃を取付けると共に、このパンチ刃が出入りするパンチ穴を、カバーの前部上面に設けて、これにより、作動ハンドルを回動することにより、パンチ穴の上面に載置した用紙に穿孔をするものである。
【００２３】
なお用紙に、1穴のほか、２穴、４穴を穿孔するときは、カバーのパンチ穴の後部に設けた表示部や穴符号を活用することにより可能である。
【発明の効果】
【００２４】
本発明は、以上説明した経過、及び以下に説明するように構成されているので、下記に記載されているような効果を奏する。
【００２５】
本願のクリップ装着器は、クリップ装着器の本体前部に設けた用紙の差込口の上方に、パンチ装置を設けたので極めて便利である。
【００２６】
前記のパンチ器で、１穴から４穴まで多種類の綴じ穴が、ファイルの種類に応じて選択的に穿孔ができるので、事務能率上良好である。
【００２７】
従来のこの種のパンチ器においては、２種類以上の穿孔を行うために、パンチ器に定規等の付属品を必要としたが、本発明においては、それらのものを必要とせず、操作が簡単なため、使用者から喜ばれるものである。
【００２８】
実施例１においては、クリップ装着器に、ホッチキスを併設したので、１台でクリップによる紙綴じと綴針による紙綴じの外、用紙にパンチによる穴あけもできるので、文書処理上極めて便利である。
【００２９】
さらにクリップ装着器に併設したホッチキスは、針凾体や蓋体が、折りたためるようになっているので、携行時にも危険がなく、収納保管にも好都合である。
【００３０】
本発明は、従来のこの種の製品に比して、構成がシンプルで、製造組立が簡単なため、コストの低減をはかることができ、安価に提供できる等の利点がある。
【発明を実施するための最良の形態】
【００３１】
以下本発明の、差込口の上方にパンチを設けたクリップ装着器の実施の形態について説明する。
【実施例１】
【００３２】
以下図面を参照して、本発明の実施例１について説明すると、図１から図１０に示すように、この自動クリップ装着器の本体１は、長方形のベース２と、このベース２を覆うように取り付けられるカバー３と、作動ハンドル３５から構成され、このカバー３上に、その長手方向にスライドするプッシャー４。並びにベース２とカバー３によって形成される、ほぼ箱形の収納部５内に、摺動可能に挿入されたクリップ押し具６と、一対の拡開バネ１３から成り立っている。
【００３３】
これらベース２、カバー３、作動ハンドル３５、プッシャー４、クリップ押し具６は、それぞれ合成樹脂で形成されている。またベース２とカバー３の結合により、その前端に書類等の用紙が挿入される差込口７が形成されている。
このクリップ装着器で使用されているクリップ８は、図８に示すように、金属板や合成樹脂板で構成された矩形の板状体を折り曲げて、その中央部に折り曲げ部９と、それらの先端が弾性的に接する２つの挟持部１０とを設けた、連続体で構成されている。各挟持部１０の先端両側には、拡開用の耳部１１が突出されている。耳部１１を含む各挟持部１０の先端は拡開しやすいように、互いに外方に曲げられたガイド部１２が形成されている。
【００３４】
ベース２は、その横断面が略皿状に形成され、長手方向先端の両側に、クリップ８がこの先端部に位置したとき、耳部１１間に差し込まれ、この耳部１１間を拡開するための、拡開バネ１３がそれぞれ取り付けられている。
この拡開バネ１３は、図１及び５に示すように、その断面が略横Ｙ字状をしており、その基盤に設けられた挿入孔１４を、ベース２に一体的に立設されたピン１５に挿入することにより固着されている。この挿入孔１４及びピン１５の位置は、拡開バネ１３の側縁と係合して、クリップ８の耳部１１が通るのを邪魔しない位置に設定されている。
【００３５】
またベース２の底面には長手方向に溝１６が形成されており、この溝１６内にクリップ８の折り曲げ部９と、それに続く挟持部１０が嵌入されるようになっている。
溝１６を形成する一体の縁部１７の外側には、クリップ８の耳部１１を保持する耳ガイド部１８が、拡開バネ１３まで延在している。
【００３６】
また、カバー３の前部両側には図２のごとく、ベース２とカバー３を結合する掛止片１９を設け、この掛止片１９をベース２の先端両側に形成した掛止溝２０に掛止して、ベース２とカバー３を結合し、更にベース２の中間部両側に嵌合孔２１を設け、この嵌合孔２１にカバー３の両側に下方に向けて垂下した掛止突片２２を挿入して、ベース２とカバー３をロックするようにする。
【００３７】
更にベース２に長手方向に形成された溝１６の中央部には、クリップ押し具６下面の指掛け部２５及び掛止部２６が突出して摺動する溝孔２７、並びに前記掛止部２６を掛止する掛合部２８、並びにクリップ８を補給装填するための挿入口２９を設ける。
【００３８】
本体１の収納部５内に、前後摺動可能に嵌装されるクリップ押し具６は、図１に示すように前端に押圧部３０を設けると共に、前部中央に伸縮コイルバネ３１の一端を掛止する掛止突起３２及び掛止部２６を突設し、更に後部上方に伸縮コイルバネ３１の折返し部２４を設けたものである。
【００３９】
次にカバー３は図２に示すように、前部上面に、その略中央部から前部に向けて長方形の長孔３５Ａを設け、この長孔３５Ａの両側に、プッシャー４を遊装するための摺動縁３６Ａを形成する。そしてカバー３の先端部の上面に図１に示すごとくパンチ装置２３を設ける。
【００４０】
またクリップ８を押し出すプッシャー４は、図１及び２に示すように、前端に２段に形成された押し当て部３７を設け、上面に伸縮コイルバネ３１の一端を掛止する掛止突部３７Ａを設けると共に、更に上面に指当て部４０を設けたものである。
【００４１】
以上のように構成されたプッシャー４を、カバー３の長孔３５Ａの両側に形成した摺動縁３６Ａに嵌装し、前記摺動縁３６Ａの上面に、指当て部４０の両側が位置するようにして、プッシャー４の前方部は図１に示すごとく、指当て部４０に指先を当てて押し下げないかぎり、常時上方に偏倚されるようにしている。
【００４２】
更にまた、ベース２の後端には、図1に示すように凹部４４が設けてあり、カバー２の後端に形成した凸部４５と相互に係止して、ベース２とカバー３を結合するようにしている。
【００４３】
次に図１に示すように、本体１内に嵌装されたクリップ押し具６の掛止突起３２に、伸縮コイルバネ３１の一端を掛止し、中間部を、クリップ押し具６の折返し部２４に巻掛け経由して、その他端をカバー３の摺動縁３６Ａに嵌装されている、プッシャー４の掛止部６９に止着連結する。
すると伸縮コイルバネ３１の収縮力により、クリップ押し具６が前進し、押圧部３０がクリップ８をそれぞれ前方に押進し、一方プッシャー４は、反対に後方に引き寄せられて、図１の使用可能状態になる。
【００４４】
次に本発明の特長である、書類やカード等の用紙に穿孔するパンチ装置２３は、本体１前端の用紙の差込口７の上方に設けたもので、パンチ装置２３の台部３３は、図２に示すように本体１の、カバー３の前部分と一体的に構成されており、前部にパンチ穴３４が穿設されている。
【００４５】
次に前記パンチ装置２３を構成する作動ハンドル３５は、図２、図３、図４に示すように、後方の中間部に、プッシャー４が前後摺動する空間部３６を設けた長方形に構成し、前方部の下面に、前述の台部３３に設けたパンチ穴３４に、出没可能にパンチ刃３８を取り付ける。
【００４６】
そして、図２から４に示すように、作動ハンドル３５の後方に形成した、円形の取付部３９の中心の取付ピン４１を図１に示すごとく本体１の取りつけ穴４２に取り付けて、作動ハンドル３５を回動可能に装着する。
【００４７】
また台部３３の上面には、図２に示すごとく穿孔時の目安となる表示部５２及び５７を、パンチ穴３４の中心から２８．５ｍｍ及び４０ｍｍの位置に設けると共に、その傍らに、穴数字４及び２の穴符号５８を刻印する。
【００４８】
次に図２に示すように、本体１を構成するカバー３の後方上面に設けた取付部５０に、従来から製造販売されている公知の、折りたたみ式のホッチキス５１を嵌着、あるいは接着、鋲着等により、図６及び７のように装着する。
【００４９】
なお、前記の取付部５０には、小型のホッチキスを取り付ける代わりに、クリップ８や、ゼムクリップなどの小物文具を収納する容器を取り付けても良い。
【００５０】
このホッチキス５１は、図１に示すごときもので、ベース体４３の上面に針曲台４４Ａを設けると共に、ベース体４３の基部に枢軸４５Ａを設け、この枢軸４５Ａに針凾体４６及び蓋体４９を枢着すると共に、蓋体４９の内側に、先端に針押バイト４８を設けた板発条４８Ａを取り付け、更に針凾体４６に取り付けた、収縮バネ４７により、綴針を送進するようになっている。
【００５１】
次にこのクリップ装着器で書類やカード等をクリップ８で綴じるには、図１の状態で本体１前端の差込口７に適宜な用紙を差し込んだ後、プッシャー４の指当て部４０に親指を当てると、プッシャー４の前端が降下し、前端の押し当て部３７が、その前方にあるクリップ８の折り曲げ部９に当接して、クリップ８を前進させる。
【００５２】
するとクリップ８先端のガイド部１２が、拡開バネ１３の後部に当接し、これによりガイド部１２が開き始めながら更に前進し、このため上下２枚の拡開バネ１３は互いに狭くなって、差込口７内の用紙を挟持しはじめ、拡開バネ１３の外面を、クリップ８の耳部１１の内側が摺接しながら移行し、拡開バネ１３の先端部上の通過が終ると、弾力により拡開バネ１３の先端が元の状態に開き、これと同時に、クリップ８は、拡開バネ１３から外れるため、クリップ８は、弾力により用紙を挟みこんで綴じ付けるものである。
【００５３】
用紙の綴じ付けが終って、プッシャー４の指当て部４０から、押圧していた親指を離すと、プッシャー４は伸縮コイルバネ３１の収縮力により後退し、一方クリップ押し具６は前進して、前方のクリップ８を押進し、図１の状態となり、次の使用に備えられるものである。
【００５４】
なお、クリップ８を本体１内に補給装填するためには、先ず本体１を図１とは逆に下面を上向きにした後、クリップ押し具６の指掛け部２５に指先を当て、後方に引き寄せると、クリップ押し具６が、伸縮コイルバネ３１のバネ力に抗して、後方に移動する。そしてクリップ押し具６の掛止部２６が、ベース２の係合部２８に係止する。
【００５５】
この状態で、クリップ８のガイド部１２を下方に向けて、ベース３の挿入口２９から収納部５内に順次挿入補給する。
そして補給が終ったら、クリップ押し具６の掛止部２６を指先で押すと、掛止部２６が掛合部２８からはずれるため、クリップ押し具６が、伸縮コイルバネ３１の収縮力により前進し、前方のクリップ８を押進して、次の使用可能状態になるものである。
【００５６】
次に本発明の特長である、クリップ装着器の本体１の前端に形成した、用紙差込口７の上方に設けた、パンチ装置による用紙の穿孔について説明する。
【００５７】
図２に示すごとく、パンチ装置２３を構成する、台部３３上方の作動ハンドル３５に、指先を当てて上方に開放すると、図２に示すごとく、台部３３の先端部にパンチ穴３４が現われるので、このパンチ穴３４の上に適宜の用紙を載せて、作動ハンドル３５を押し下げれば、パンチ刃３８が、用紙を穿孔しながらパンチ穴３４内に嵌入して用紙を穿孔する。
そして、作動ハンドル３５を再度開放すれば、穿孔した用紙を簡単に取り出すことができる。
【００５８】
次に図９及び１０に示すＡ４判用紙５３に、２穴及び４穴の穿孔を行う状態を説明する。
Ａ４判用紙の規格サイズは、２１０ｍｍ×２９７ｍｍで、図９の左側の２９７ｍｍの部分には、２穴及び４穴の２種類の穿孔が行われ、それぞれのファイル帳に綴じられて使用されている。そして、２穴用の穴ピッチは、８０ｍｍで、４穴用の穴ピッチは、図９のごとく、３箇所とも８０ｍｍで、中心部の８０ｍｍは２穴用の穴ピッチと同一であり、両端はそれぞれ２８．５ｍｍの規格となっている。
【００５９】
このＡ４判用紙５３に、まず２穴の穿孔を行うには、Ａ４判用紙５３を図１０のように二つ折りにする。そして図２のごとく折り返し辺５４を台部３３後方の表示部５２に当接させる。そしてこの状態で作動ハンドル３５を押圧すれば、前述のごとくパンチ刃３８により、図１０に示す第１次穴５５が穿孔される。そして、用紙５３を取り出して拡げれば、穴ピッチ８０ｍｍの、規格の２穴が穿孔される。なお、この２穴の規格穴はＡ４判のみならず、Ｂ５判用紙についても同様である。
【００６０】
次にＡ４判用紙５３に本発明の特長である、４穴の穿孔を行うには、図１０のように二つ折りにして、前記と同様に２穴の穿孔を行った後、下方の両端部５６をパンチ穴３４の中心から２８．５ｍｍの位置に設けられた、表示部５７に当接してから、作動ハンドル３５を押し下げれば、Ａ４判用紙５３に穿孔ができる。
穿孔終了後、Ａ４判用紙５３を拡げれば、図９に示す３箇所の穴ピッチ８０ｍｍと、両端が２８．５ｍｍの規格通りの穿孔が行われ、４穴用ファイル帳に綴じこむことができるものである。
【実施例２】
【００６１】
次に図１１から１３に示す実施例２について説明する。この実施例２は古くから実用化されている簡易型のクリップ装着器の、本体１の前部に設けられた用紙の差込口７の上方に、パンチ装置を設けたものである。
【００６２】
この実施例２のクリップ装着器の本体１は、図１１及び１２に示すごとく長方形のベース２と、このベース２を覆うようにカバー３が取り付けられ、このカバー３上に、その長手方向にスライドするプッシャー４とから主に構成されており、上記のベース２、カバー３、プッシャー４は、それぞれ合成樹脂で形成されている。ベース２とカバー３で一体的に形成された本体１の先端には書類等が挿入される差込口７が形成されている。
【００６３】
このクリップ装着器で使用されるクリップ８は前述の実施例１で詳細に示したものと全く同一のクリップである。
【００６４】
本実施例２のベース２は図１３に示すように、上面が略皿状に形成され、長手方向先端部の両側に、クリップ８が、この先端部に位置した時、耳部１１間を拡開するための拡開バネ１３は、図１１に示すように、断面がほぼ横Ｙ字状をしており、図１３に示すようにその根本部に設けられた挿入孔１４を、ベース２に立設されたピン１５に挿入することにより支持されている。
【００６５】
この挿入孔１４及びピン１５の位置は、拡開バネ１３の側縁と係合して、クリップ８の耳部１１が通るのを邪魔しない位置に設定されている。
ベース２にはその長手方向に溝１６が形成されており、この溝１６内にクリップ８が挿入される。溝１６の先端側は一段深く溝孔５９が形成され、この溝孔５９には、先頭に位置するクリップ８の折り曲げ部９と、それに続く挟持部１０が落ち込むようになっている。
溝１６を形成する一対の縁部１７の外側にはクリップ８の耳部１１を保持する耳ガイド溝１８が拡開バネ１３まで延在している。
【００６６】
ベース２の後端部には、この後端部から先端方向に向かって下方に傾斜して耳ガイド溝１８に位置するように一対のガイド突起６０が形成されており、このガイド突起６０の後端部間は後端方向に水平部を有する連結体６１によって、つながっている。
なお、図において１５Ａはピンでカバー３の嵌合孔（図示なし）と嵌合されるようになっている。
【００６７】
次にカバー３は、図１１及び１２に示すように、前部分の上面は、本願の特長であるパンチ装置２３を一体的に構成するための台部３３となっており、台部３３の前部上面には図１２に示すごとくパンチ穴３４が穿設されており、その後方には、プッシャー４が前後摺動するための長孔３５Ａが設けられている。
【００６８】
また、カバー３の後方には、クリップ８を補給する、クリップ挿入口６３が設けられ、クリップ８が脱落しないように、バネ性を持たせた蓋部６４が形成されこの蓋部６４の端部６４Ａと、ベース２の連結部６５との距離が、クリップ８の折曲部９の厚さより僅かに短かくして、クリップが脱落しないようにしてある。
【００６９】
この実施例２の図１２に示すように、カバー３の長孔３５Ａの両側に形成した摺動縁３６Ａ内にプッシャー４を前後摺動可能に嵌装し、前記摺動縁３６Ａの上面にプッシャー４の指当て部４０の両側が位置するようにしてあり、また、図１１に示すごとくプッシャー４の後部に設けた掛止部６９に伸縮コイルバネ３１の前部を掛止し、またコイルバネ３１の後部を、カバー３の下面に設けた掛止突起３２に掛止して、プッシャー４を常時後方に引張るようにしており、プッシャー４の前方は指当て部４０に指先を当てて押し下げない限り常時上方に偏倚されるようになっている。
なお図において、３７は押し当て部で、クリップ８を押し出すものである。
【００７０】
次にこの実施例２のクリップ装着器の本体１を組立てるには、ベース２の２つのピン１５に、拡開バネ１３の挿入孔１４を取り付ける。次いでベース２後端の連結部６５とカバー後端の取付部６６を嵌合させ、次いでベース２とカバー３の前部に形成した帯状溝６２に金属で構成した締止バンド６７を嵌め込めば組立が完了する。
【００７１】
次に本発明の特長である、書類やカードに穿孔するパンチ装置２３は、本体前端の用紙の差込口７の上方に設けたもので、パンチ装置２３の台部３３は、図１２に示すごとく、本体１のカバー３の前部分と一体的に構成されたもので、前部にパンチ穴３４が穿設され、その後方に、長孔３５Ａが設けてあり、更にこの長孔３５Ａには、プッシャー４が前後摺動可能に嵌装されている。
【００７２】
前記パンチ装置２３を構成する作動ハンドル３５は、図１１及び図１２に示すように、前方部の下面に、前述の台部３３に設けたパンチ穴３４に出没可能に、パンチ刃３８を取り付けると共に、前記パンチ刃の後方の中間部に、プッシャー４が前後摺動する空間部３６を前記長孔３５Ａと同形に設けて長方形に形成し、後部下方に取付ピン４１を取り付け、この取付ピン４１の先端部を、カバー３の内側上方に設けた取付穴（図示なし）に取り付けて、作動ハンドル３５を回動自在に装着する。
【００７３】
また台部３３の上面には図１２に示すごとく、穿孔時の目安となる表示部５２及び５７を、パンチ穴３４の中心から２８．５ｍｍ及び４０ｍｍの位置に設けると共にその傍らに、穴数字、４及び２の穴符号５８を表記する。
【００７４】
実施例２のクリップ装着器の本体１内にクリップ８を補給するには、クリップ挿入口６３からクリップ８を挿入する。クリップ挿入口６３は蓋部６４によりクリップ８の折曲げ部９より狭くなっているが、この蓋部６４はクリップ８の挿入によって持ち上げられるので僅かな力でクリップ８は挿入できるものである。
【００７５】
以上図１１から図１３に示す実施例２は、上記のように構成されており、これにより差込口７に挿入した書類やカード等を、プッシャー４の指当て部４０に、指先を当ててプッシャー４を押進することにより、クリップ８で用紙を容易に綴じることが出来るものである。
【００７６】
また本願発明の特長である用紙の穿孔についても、前記の説明のごとく、1穴、２穴、４穴の穿孔が可能であるが、穿孔方法については、前述の図１から図１０に示す実施例１とほぼ同様であるので説明を省略する。
【実施例３】
【００７７】
次に図１４から図１８に示す実施例３について説明する。図１４に示すように本体１はベース２及びカバー３並びに作動ハンドル３５から構成され、本体１の前端部に書類等の用紙の差込口７を設け、この差込口７の両側後部に図１４に示す拡開バネ１３をピン１５により止着し、バネ板部１３Ａにより差込口の上下を覆うように装着する。
【００７８】
本体１の中間部及び後部は、上面を開放した箱型に構成し、図８のクリップ８及び図１７のクリップ押し具６を収納する収納部５を設け、クリップ８及びクリップ押し具６を前後摺動可能に装着する。
更に図１４・１５、１６図に示すように、収納部５の上面にクリップ８を収納部５に装填するための挿入口２９を設ける。
【００７９】
本体１内に前後摺動可能に嵌装されるクリップ押し具６は、図１７に示すように、前端に押圧部３０を設けると共に、前部中央に伸縮コイルバネ３１の一端を掛止する掛止突起３２を突設し、更に両側縁に摺接部６Ａを形成すると共に、後部に伸縮コイルバネ３１の折返し部２４を設けたものである。
【００８０】
次にカバー３の上面には、作動ハンドル３５を後部において、軸６８により回動自在に枢着し、該作動ハンドル３５の前部に図１８に示すごとく空間部３６を設け、この空間部３６の両側にプッシャー４を嵌装するための摺動縁３６Ａを形成する。
【００８１】
プッシャー４は、図１４及び１５に示すように、上面に指当て部４０を設けると共に、前端に２段に形成した押し当て部３７を設け、その後部に伸縮コイルバネ３１の一端を係止する、係止部６９を形成して、伸縮コイルバネ３１を係止する。
そして、図１８に示すように、プッシャー４を作動ハンドル３５に設けた、空間部３６周囲の摺動縁３６Ａに前後摺動可能に装着する。
【００８２】
上記により、本体１の収納部５内に嵌装されたクリップ押し具６の掛止突起３２に伸縮コイルバネ３１の一端を掛止し、クリップ押し具６後部の折返し部２４に巻き掛け経由して、その他端を、作動ハンドル３５の摺動縁３６Ａに装着されている、プッシャー４の係止部６９に止着連結する。そして、作動ハンドル３５を図１４のごとく本体１に閉止すると、伸縮コイルバネ３１の収縮により、クリップ押し具６が前進して、前端部６Ｂがクリップ８をそれぞれ前方に押進し、また一方プッシャー４は反対に後方に引き寄せられ、図１４のごとく、次のクリップ綴じの使用状態になる。
【００８３】
次に本願発明の特長である、用紙に穿孔をするパンチ装置２３は、用紙の差込口７の上方に設けられたもので、パンチ装置２３の台部３３は図１６に示すごとく、カバー３の前部分と一体的に構成されたもので前部にパンチ穴３４が設けられ、その後方に長孔３５Ａが設けてあり、更にこの長孔３５Ａにはプッシャー４の下方が前後摺動可能に摺動されるようになっている。
【００８４】
前記パンチ装置２３を構成する作動ハンドル３５は、先端部の下面に、図１６に示す台部３３の前部に設けたパンチ穴３４に出没可能にパンチ刃３８を取り付けると共に、前記パンチ刃３８の後方の中間部に、プッシャー４が前後摺動する、空間部３６を設ける。
【００８５】
また台部３３の上面には、図１６に示すごとく、穿孔時の目安となる表示部５２及び５７を、パンチ穴３４の中心から２８．５ｍｍ及び４０ｍｍの位置に設けると共に、その傍らに穴数字、４及び２の穴符号５８を表記する。
【００８６】
実施例３のクリップ装着器の本体１内に、クリップ８を補給するには、図１５に示すように、作動ハンドル３５を９０度以上に開放して、図１５に示すごとく、カバー３上面のクリップ８の挿入口２９から図に示すごとく、クリップ８のガイド部１２を下方にして投入すれば、本体１の収納部５内に挿入され、そして、作動ハンドル３５を図１４のごとく閉止すれば、引張コイルバネ３１の収縮力によりクリップ押し具６が前進し、図１４のごとく、使用状態になるものである。
【００８７】
以上、図１４から図１８に示す実施例３は、上記のように構成されており、これにより差込口７に挿入した、書類やカード等を、プッシャー４の指当て部４０に指先を当てて、プッシャー４を押進することにより、クリップ８が前進して、実施例１で説明したごとく、用紙を綴じることが出来るものである。
【００８８】
また、本願発明の特長である用紙の穿孔についても、実施例１のごとく、１穴、２穴、４穴の穿孔が可能であるが、穿孔方法等については、実施例１とほぼ同様であるので説明を省略する。
【００８９】
なお、前記の各実施例について、用紙にパンチ穴を穿孔した際、パンチ屑が差込口７内に落下するが、これらを防止するため、差込口７の上方に、小型の屑受けを設けることも可能であり、また、樹脂製のパンチ穴３４を補強するために、薄い金属板等で補強することもできる。
【産業上の利用可能性】
【００９０】
上述したように、本願発明は本体前部の用紙の差込口の上方に、パンチ装置を設けたクリップ装着器であって、従来から販売されている、書類やカード等の用紙の紙綴じの外、用紙に簡単に穿孔ができるので極めて便利である。
【００９１】
クリップ装着器の本体の前部上方に設けたパンチ装置により、用紙に１穴、２穴、４穴の穿孔ができるので、ファイル帳の種類に応じて選択的に穿孔できるので、事務能率の向上をはかることができるものである。
【００９２】
本発明は、従来のこの種の製品に比し構成が合理的であり、製造組立が簡単なため、安価に提供することができ産業上有効である。
【図面の簡単な説明】
【００９３】
【図１】本発明の差込口の上方にパンチを設けたクリップ装着器における縦断面図である。（実施例１）
【図２】同上、クリップ装着器の作動ハンドルを開いた状態の斜視図である。（実施例１）
【図３】同上、作動ハンドルの上面図である。（実施例１）
【図４】同上、作動ハンドルの縦断面図である。（実施例１）
【図５】同上、ベースに拡開バネを取り付けた平面図である。（実施例１）
【図６】同上、クリップ装着器の上面図である。（実施例１）
【図７】同上、側面図である。（実施例１）
【図８】パンチ付きクリップクリップ装着器に使用するクリップの斜視図である。
【図９】パンチ付きクリップ装着器を使用して４穴を穿孔した状態を示す、Ａ４判用紙の平面図である。（実施例１）
【図１０】同上、Ａ４判用紙を中央から二つに折り返した状態の平面図である。（実施例１）
【図１１】差込口の上方にパンチを設けたクリップ装着器の縦断面図である。（実施例２）
【図１２】同上、作動ハンドルを開放した状態の斜視図である。（実施例２）
【図１３】同上、ベースに拡開バネを取り付けた平面図である。（実施例２）
【図１４】同上、差込口の上方にパンチを設けたクリップ装着器の縦断面図である。（実施例３）
【図１５】同上、作動ハンドルを９０度に開放した状態の一部切欠き縦断面図である。（実施例３）
【図１６】同上、カバーの上面図である。（実施例３）
【図１７】パンチを設けたクリップ装着器に使用するクリップ押し具の斜視図である。（実施例３）
【図１８】パンチを設けたクリップ装着器の作動ハンドルの上面図である。（実施例３）
【符号の説明】
【００９４】
１    本体
２    ベース
３    カバー
４    プッシャー
５    収納部
６    クリップ押し具
７    差込口
８    クリップ
１０    挟持部
１２    ガイド部
１３    拡開バネ
１６    溝
１９    掛止片
２１    嵌合孔
２３    パンチ装置
２４    折返し部
２５    指掛け部
２９    挿入口
３１    伸縮コイルバネ
３３    台部
３４    パンチ穴
３５    作動ハンドル
３５Ａ    長孔
３６    空間部
３８    パンチ刃
４３    ベース体
４５Ａ    枢軸
５２    表示部
５８    穴符号
６４    蓋部
６５    連結部
６９    係止部 
【要約】
【課題】従来のクリップ装着器は書類等の用紙を綴じるだけのものであった。本発明は単に用紙を綴じるだけでなく、ファイル帳の種類に応じた、１穴、２穴、４穴等の穿孔ができるようにしたものである。
【解決手段】ベースとカバーから構成された、クリップ装着器の本体内に、クリップ等の収納部を形成し、本体の前部に用紙の差込口を設け、この差込口の上方にパンチ穴を設け、このパンチ穴に出入するパンチ刃を設けた作動ハンドルを、本体の上部に装着すると共に、パンチ穴の後方に、長孔を設けたものである。
【選択図】図１
【図１】
0003718217.tif 000002
【図２】
0003718217.tif 000003
【図３】
0003718217.tif 000004
【図４】
0003718217.tif 000005
【図５】
0003718217.tif 000006
【図６】
0003718217.tif 000007
【図７】
0003718217.tif 000008
【図８】
0003718217.tif 000009
【図９】
0003718217.tif 000010
【図１０】
0003718217.tif 000011
【図１１】
0003718217.tif 000012
【図１２】
0003718217.tif 000013
【図１３】
0003718217.tif 000014
【図１４】
0003718217.tif 000015
【図１５】
0003718217.tif 000016
【図１６】
0003718217.tif 000017
【図１７】
0003718217.tif 000018
【図１８】
0003718217.tif 000019